(57)【要約】【課題】            特異性、奇抜性があり、美観や豪華さも備え、客に対する購買力を訴え、しかも安価な菓子用箱を提供する。【解決手段】        上部が開口する有底の箱本体と、該箱本体の上部開口に着脱自在に被せる蓋体と、箱本体の底部に着脱自在に嵌合する底部蓋体とよりなり、  箱本体は、底板と、底板の外周端に立設する前後左右の側板とで構成され、該箱本体には、少なくとも前後または左右の側板の下端に底板の延長線上に位置して水平方向に突出する係止片が設けられ、  蓋体および底部蓋体は、箱本体の上部開口および底部に嵌合できるように箱本体の外径以上大径とした径を内径とする箱本体の外形に相応する皿状であって、  該蓋体および底部蓋体には、箱本体の底部に嵌合したとき、前記係止片と対応する位置に係合孔が設けられ、蓋体または底部蓋体を箱本体の底部に嵌合すると、係止片が嵌合孔に嵌入して箱本体に係止されることを特徴とする。【選択図】          図２
0003105431.tif 000002
【実用新案登録請求の範囲】
【請求項１】
上部が開口する有底の箱本体と、該箱本体の上部開口に着脱自在に被せる蓋体と、箱本体の底部に着脱自在に嵌合する底部蓋体とよりなり、
箱本体は、底板と、底板の外周端に立設する前後左右の側板とで構成され、該箱本体には、少なくとも前後または左右の側板の下端に底板の延長線上に位置して水平方向に突出する係止片が設けられ、
蓋体および底部蓋体は、箱本体の上部開口および底部に嵌合できるように箱本体の外径以上大径とした径を内径とする箱本体の外形に相応する皿状であって、
該蓋体および底部蓋体には、箱本体の底部に嵌合したとき、前記係止片と対応する位置に係合孔が設けられ、蓋体または底部蓋体を箱本体の底部に嵌合すると、係止片が嵌合孔に嵌入して箱本体に係止されることを特徴とする菓子用箱。
【請求項２】
前記蓋体および底部蓋体は、前後左右の側板を備え、その少なくとも前後または左右の側板は、外側板と内側板の二重構造に構成され、前記係合孔は内側板に設けられていることを特徴とする請求項１記載の菓子用箱。
【考案の詳細な説明】
【技術分野】
【０００１】
この考案は、菓子用箱に関し、特に、箱本体が、上部開口に被せる蓋体と、底部に嵌合する蓋体を有する菓子用箱に関する。
【背景技術】
【０００２】
従来の菓子用箱としては、上部開口で有底の方形の立方体の箱本体と、上部開口に着脱自在に嵌合する蓋体とで構成されているものが、最も普通に知られている（例えば、特許文献１参照）。
また、箱本体と蓋体とがヒンジ結合されているものも知られている（例えば、特許文献２参照）。
さらに、折り畳み式（組立式）の包装箱も知られている（例えば、特許文献３参照）。
【特許文献１】実開昭６０−１０１４８４号公報（図１）
【特許文献２】実開昭６２−１９６６９１号公報（図５）
【特許文献３】実開平１−１７７１１５号公報（実用新案登録請求の範囲、図２〜図３）
【考案の開示】
【考案が解決しようとする課題】
【０００３】
中身の商品（菓子）だけでなく、それを収納する箱も商品として客に対する購買力を向上させるように機能する。商品を収納する箱が、購買力を訴えるためには、技術的な特異性、奇抜性や、美観および豪華さ等が要求される。それも収納した商品（菓子）の品質が保持されなければならないし、安価に提供されなければならない。従来の菓子用箱においては、これらの要望に応えるには不充分である。例えば、従来の箱本体と蓋体とで構成されている通常の形態のものや、箱本体に蓋体をヒンジ結合したものは、特異性、奇抜性に欠けるし、美観や豪華さを向上させるにも限界がある。あえて美観や豪華さを向上させようとすれば、種々の装飾が必要となり高価なものになるおそれもある。また、組立式の箱本体は、機能性に着目したものであり、特異性、奇抜性および美観や豪華さには欠ける。
この考案は、このような点に鑑み特異性、奇抜性があり、美観や豪華さも備え、客に対する購買力を訴え、しかも安価な菓子用箱を提供せんとするものである。
【課題を解決するための手段】
【０００４】
この考案の菓子用箱は、上部が開口する有底の箱本体と、該箱本体の上部開口に着脱自在に被せる蓋体と、箱本体の底部に着脱自在に嵌合する底部蓋体とよりなり、
箱本体は、底板と、底板の外周端に立設する前後左右の側板とで構成され、該箱本体には、少なくとも前後または左右の側板の下端に底板の延長線上に位置して水平方向に突出する係止片が設けられ、
蓋体および底部蓋体は、箱本体の上部開口および底部に嵌合できるように箱本体の外径以上大径とした径を内径とする箱本体の外形に相応する皿状であって、
該蓋体および底部蓋体には、箱本体の底部に嵌合したとき、前記係止片と対応する位置に係合孔が設けられ、蓋体または底部蓋体を箱本体の底部に嵌合すると、係止片が嵌合孔に嵌入して箱本体に係止されることを特徴とする。
また、前記蓋体および底部蓋体は、前後左右の側板を備え、その少なくとも前後または左右の側板は、外側板と内側板の二重構造に構成され、前記係合孔は内側板に設けられていることが好ましい。
【考案の効果】
【０００５】
この考案の菓子用箱によれば、次のような効果を奏する。
（１）箱本体を上下より蓋体および底部蓋体で恰もサンドイッチ状とした形態となるため、菓子用箱として特異性、奇抜性があり、美観も有し、収納する箱本体として高い購買力を客に訴える。
（２）蓋体および底部蓋体は、互に兼用できるため、いずれか１つを用意するだけで済むので部品点数が少なくなり、安価に提供できる。
（３）箱本体の底部には、底部蓋体が嵌合されるので強固となるし蓋体および底部蓋体の前後左右の側板も二重となるので一層強固となり、収納した商品の品質を保持するし、積み重ねても潰れることなく充分に耐え得る。
（４）前記蓋体および底部蓋体は、前後左右の側板を備え、その少なくとも前後または左右の側板は、外側板と内側板の二重構造に構成され、前記係合孔は内側板に設けられているので、係合孔およびこの係合孔に係止している係止片の部分は、外側から見えることがない。従って、外観を損ねることもなく、箱本体に底部蓋体を一体化できる。
（５）蓋体と底部蓋体は互に兼用できるように同じ構成となっているので、蓋体にも係合孔が設けられている。この蓋体の係合孔は、蓋体として使用するときは不用であるが、前記のように外側からは見えないので何ら差し支えがない。
【考案を実施するための最良の形態】
【０００６】
以下、この考案の実施の形態を図１乃至図４について詳細に説明する。図１はこの考案の実施の形態を示す菓子用箱の斜視図、図２はこの考案の実施の形態を示す菓子用箱の分解斜視図、図３は図１のＡ−Ａ線断面図、図４は図３のＣ部拡大図である。
この菓子用箱は、上部が開口１ａする有底の箱本体１と、箱本体１の上部開口１ａに着脱自在に被せる蓋体２０と、箱本体１の底部１ｂに着脱自在に嵌合する底部蓋体５０とより構成される。
【０００７】
箱本体１は、底板６の周縁に連設して立ち上る前後側板２、３および左右側板４、５において上部開口１ａの方形の立方体形状に形成され、少なくとも前後２、３または左右４、５の側板の下端に、底板６の延長線上に位置して水平方向に延出する係止片７が突設されている。本例では左右の側板４、５の下端にそれぞれ２個づつの係止片７が設けられた場合を示している。
【０００８】
蓋体２０および底部蓋体５０は、箱本体１の上部開口１ａおよび底部１ｂに嵌合できるように箱本体１の外径形状より板厚分以上大径とした内径形状とする箱本体１の形状に相応する底浅の箱体（皿状）となっている。これにより蓋体２０は、底部蓋体５０としても兼用できるし、底部蓋体５０は蓋体２０としても兼用できる。
蓋体２０および底部蓋体５０には、箱本体１の底部１ｂに嵌合したとき、前記係止片７と対応する位置に係合孔２６、５６が設けられ、蓋体２０または底部蓋体５０を箱本体１の底部１ｂに嵌合すると、箱本体１の係止片７が該係合孔２６または５６に嵌合して箱本体１に係止されるようになっている。
【０００９】
この係合孔２６、５６は、蓋体２０および底部蓋体５０の外側から見えないように側板（側壁）に形成するのが好ましい。その一例を示す。
蓋体２０は、図２に示すように天板２１の周縁に連設する前後左右の側板２２、２３、２４、２５により形成され、底部蓋体５０は、底板５１の周縁より連設して立ち上がる前後左右の側板５２、５３、５４、５５により形成されている。蓋体２０および底部蓋体５０の左右の側板２４、２５および５４、５５は、図４に示すように外側板２４ａ、２５ａおよび５４ａ、５５ａに折目線を介して内側板２４ｂ、２５ｂおよび５４ｂ、５５ｂが連設され、該内側板２４ｂ、２５ｂおよび５４ｂ、５５ｂを、外側板２４ａ、２５ａおよび５４ａ、５５ａより折目線を介して内側に折り込んだ二重壁に形成され、係合孔２６、５６は内側板２４ｂ、２５ｂおよび５４ｂ、５５ｂに形成される。これにより係合孔２６、５６は、側板２４、２５および５４、５５に外側から見えないように形成できる。
【００１０】
しかして、この考案の菓子用箱は、箱本体１、蓋体２０および底部蓋体５０で構成され、箱本体１の上部開口１ａに蓋体２０が被せられ、箱本体１の底部１ｂに底部蓋体５０が嵌合され、図１に示すように箱本体１を上下より蓋体２０および底部蓋体５０で恰もサンドイッチ状とした形態となるため、菓子用箱として特異性があり収納する商品（菓子）だけでなく収納する箱も商品として高い購買力を発揮できる。また、蓋体２０および底部蓋体５０は、互に兼用できるため、いずれか一つを用意するだけで済むので部品点数も少なくなり、安価に提供できる。さらに、底部１ｂは、底部蓋体５０が嵌合されるので強固となるし、側壁（側板）も二重壁とすると一層強固となり、積み重ねても潰れることなく充分に耐え得るものとなる。
【実施例１】
【００１１】
本実施例の菓子用箱は、図１に示すように、箱本体１と、蓋体２０と、底部蓋体５０とからなっており、いずれも折り畳んで組立て可能となっている。
箱本体１は、図５の展開図に示すように、横方向に順に長方形の前側板２、左側板４、後側板３、および右側板５が、それぞれ折目線１７ａ、１７ｂ、１７ｃを介して連続して設けられ、側端には折目線１７ｄを介し糊代１２が設けられている。また、これら各側板２、３、４、５の下端には、底板６を形成する前底板片８、後底板片９、左底板片１０、および右底板片１１が、それぞれ折目線１８ａ、１８ｃ、１８ｂ、１８ｄを介して連続して設けられている。この各底板片８、９、１０、１１が組立てることによって底板６となる。前記前底板片８の左底板片１０側の側端、および後底板片９の左底板片１０側の側端には、切欠きされて左底板片１０側に突出する同形状の舌片１５、１６が形成され、また、左底板片１０の下端は長方形の凹部１３に形成され、右底板片１１の下端は長方形の突片１４に形成されている。この凹部１３と突片１４の形状は、略々同形の長方形である。さらに、左側板４と左底板片１０、および右側板５と右底板片１１との間の折目線１８ｃおよび１８ｄに沿う位置に切欠きして係止片７が形成されている。この係止片７は、左底板片１０および右底板片１１を左側板４および右側板５に対し折目線１８ｃ、１８ｄに沿って直角に折り曲げると、左側板４および右側板５より外方向の水平に突出する。
【００１２】
次に、上記のように形成された展開状態からの箱本体１の組立てを、図６（ａ）（ｂ）および図７（ｃ）（ｄ）において順を追って説明する。図６および図７を合せて（ａ）（ｂ）（ｃ）（ｄ）の順で箱本体１の組立工程を示している。
先ず、図６（ａ）に示す展開状態から（ｂ）に示すように前後および左右の各底板片８、９、１０、１１を、前後および左右の各側板２、３、４、５に対し折目線１８ａ、１８ｂ、１８ｃおよび１８ｄより直角に折り曲げる。この左底板片１０および右底板片１１の折り曲げにより係止片７は、左右側板４、５の下端において外側に突出する。この係止片７の突出は、左底板片１０および右底板片１１の延長線上となる。
次に、図７（ｃ）に示すように各側板２、３、４、５および糊代１２を、折目線１７ａ、１７ｂ、１７ｃおよび１７ｄに沿って内側に直角に折り曲げる。すると図７（ｄ）に示すように箱本体１に形成される。この時、各底板８、９、１０、１１は、図７（ｃ）（ｄ）に示すように組立てると共に、糊代１２に接着剤を塗布して前側板２に接着する。これにより底が抜けないようになると共に、箱状を保持するようになり、箱本体１に組立てられる。
【００１３】
図８は蓋体２０の展開図である。蓋体２０は、図８の展開図に示すように、長方形の天板２１の前および後に前側板２２および後側板２３が設けられ、左および右に左側板２４および右側板２５が設けられる。前側板２２は外前側板２２ａと内前側板２２ｂで形成され、後側板２３は外後側板２３ａと内後側板２３ｂで形成され、左側板２４は外左側板２４ａと内左側板２４ｂで形成され、右側板２５は外右側板２５ａと内右側板２５ｂとでそれぞれ形成され、組立てると二重壁に形成される。
【００１４】
即ち、天板２１の前端に順に外前側板２２ａ、内前側板２２ｂおよび側片２７が折目線３５ａ、３６ａ、３７ａを介して連続して設けられ、天板２１の後端に順に外後側板２３ａ、内後側板２３ｂおよび側片２８が折目線３５ｂ、３６ｂ、３７ｂを介して連続して設けられている。前記内前側板２２ｂおよび内後側板２３ｂの左右端には折目線３８、３９を介してフラップ２９、３０が連設されている。また、天板２１の左端に順に外左側板２４ａ、内左側板２４ｂおよび折曲片３３が折目線４０ａ、４１ａ、４２ａを介して連続して設けられ、天板２１の右端に順に外右側板２５ａ、内右側板２５ｂおよび折曲片３４が折目線４０ｂ、４１ｂ、４２ｂを介して連続して設けられている。前記内左側板２４ｂと折曲片３３、および内右側板２５ｂと折曲片３４との間の折目線４２ａおよび４２ｂに沿って切込線による係合孔２６が設けられている。本例では左右に２個づつ設けられている。さらに、外前側板２２ａおよび外後側板２３ａと外左側板２４ａおよび外右側板２５ａとの端部は、方形の連結片３１で連結されていると共に、該連結片３１には、対角線上に折目線３２が設けられている。
【００１５】
図９は底部蓋体５０の展開図である。底部蓋体５０は、図９の展開図に示すように前記蓋体２０と同じ構成である。
即ち、図９に示す底部蓋体５０の、底板５１、外前側板５２ａ、内前側板５２ｂ、外後側板５３ａ、外左側板５４ａ、内左側板５４ｂ、外右側板５５ａ、内右側板５５ｂ、側片５７・５８、フラップ５９・６０、連結片６１、折曲片６３・６４および係合孔５６は、図８に示す蓋体２０の、天板２１、外前側板２２ａ、内前側板２２ｂ、外後側板２３ａ、内後側板２３ｂ、外左側板２４ａ、内左側板２４ｂ、外右側板２５ａ、内右側板２５ｂ、側片２７・２８、フラップ２９・３０、連結片３１、折曲片３３・３４および係合孔２６に、それぞれ対応する。また、図９に示す底部蓋体５０の、折目線６５ａ・６５ｂ・６６ａ、６６ｂ・６７ａ・６７ｂ・６８・６９・７０ａ・７０ｂ・７１ａ・７１ｂ・７２ａ・７２ｂ・６２は、図８に示す蓋体２０の、折目線３５ａ・３５ｂ・３６ａ・３６ｂ・３７ａ・３７ｂ・３８・３９・４０ａ・４０ｂ・４１ａ・４１ｂ・４２ａ・４２ｂ・３２に、それぞれ対応する。
【００１６】
次に、上記のように形成された展開状態からの蓋体２０の組立てを、図１０（ａ）（ｂ）および図１１（ｃ）（ｄ）において順を追って説明する。図１０および図１１を合せて（ａ）（ｂ）（ｃ）（ｄ）の順で蓋体２０の組立て工程を示している。なお、底部蓋体５０の組立ては、蓋体２０の組立てと同様であるので省略する。
まず、図８に示す展開状態から図１０（ａ）に示すように天板２１に対し折目線３５ａ、３５ｂより前後の側板２２（２２ａ、２２ｂ）・２３（２３ａ、２３ｂ）を直角に折り曲げ立ち上げる。
次に図１０（ｂ）に示すように折目線３６ａ、３６ｂより内前側板２２ｂおよび内後側板２３ｂを、外前側板２２ａおよび外後側板２３ａの内側に折り重ねると共に、側片２７、２８を折目線３７ａ、３７ｂより直角に外側に折り曲げて天板２１の内面に当接させる。
次に、フラップ２９、３０を図１０（ｂ）で矢印で示すように折目線３８、３９より直角に折り曲げて図１１（ｃ）の状態とする。
次に、左右の側板２４（２４ａ、２４ｂ）・２５（２５ａ、２５ｂ）を天板２１に対し折目線４０ａ、４０ｂより直角に折り曲げ立ち上げる。この時、連結片３１は折目線３２より谷折りされて左右の外側板２４ａ、２５ａの内側に位置する。続いて図１１（ｃ）に示すように内左側板２４ｂおよび内右側板２５ｂを折目線４１ａ、４１ｂより内側に折り込み外左側板２４ａおよび外右側板２５ａの内側に折り重ねると共に、折曲片３３、３４を折目線４２ａ、４２ｂより直角に外側に折り曲げて天板２１の内側に当接させ、図１１（ｄ）の状態とする。この時、図１１（ｃ）に示すように折り曲げたフラップは、外の左右側板２４ａ、２５ａと内の左右側板２４ｂ、２５ｂとの間に位置させる。これにより図１１（ｄ）に示すように蓋体２０の組立てが完了する。なお、この蓋体２０の完成状態では、内左側板２４ｂと折曲片３３、および内右側板２５ｂと折曲片３４との間の折目線４２ａおよび４２ｂに沿って設けた切込線による係合孔２６は、折曲片３３、３４が折り曲げられることによって切込線が孔として開口する。
【００１７】
以上のように組立てられた箱本体１は、蓋体２０および底部蓋体５０は、図１および図２に示すように、箱本体１の上部開口１ａに蓋体２０を被せ、箱本体１の底部１ｂに底部蓋体５０を嵌合して菓子用箱となる。そして、箱本体１の係止片７と底部蓋体５０の係合孔２６、５６とは、箱本体１の底部に底部蓋体５０を嵌合したとき互に対応する位置に設けられているため、箱本体１の底部１ｂに底部蓋体５０を嵌合すると、係止片７が係合孔２６、５６に嵌入して係止されて、箱本体１と底部蓋体５０とが一体化する。この様子を図１２（ａ）（ｂ）に示している。図１２（ａ）は箱本体１の底部に底部蓋体５０を嵌合しようとしている状態を示し、図１２（ｂ）は箱本体１の底部に底部蓋体５０が嵌合され、係止片７が係合孔５６に嵌入し係止されている状態を示している。この実施例によれば、図１２（ａ）（ｂ）からも理解できる通り、係合孔５６は、左右の側板５４、５５の内左側板５４ｂおよび内右側板５５ｂに形成されているので外側から見えることがない。
【００１８】
また、蓋体２０と底部蓋体５０とは同じ構成となっており、蓋体２０として使用するときは蓋体２０の係合孔２６は不用であるが、外側からは見えないので何ら差支えがなく両者が同一部品で兼用できる。
さらに、蓋体２０および底部蓋体５０の前後左右の側板２２、２３、２４、２５および５２、５３、５４、５５は、外側板２２ａ、２３ａ、２４ａ、２５ａおよび５２ａ、５３ａ、５４ａ、５５ａと内側板２２ｂ、２３ｂ、２４ｂ、２５ｂおよび５２ｂ、５３ｂ、５４ｂ、５５ｂの二重壁となっているので強固であり、保形力に優れるものである。
【００１９】
なお、前記実施の形態および実施例は、この考案を制限するものではなく、この考案は、要旨を逸脱しない範囲内で種々の変形が許容される。
【図面の簡単な説明】
【００２０】
【図１】この考案の実施の形態を示す菓子用箱の斜視図である。
【図２】この考案の実施の形態を示す菓子用箱の分解斜視図である。
【図３】図１のＡ−Ａ線断面図である。
【図４】図３のＣ部拡大図である。
【図５】箱本体の展開図である。
【図６】箱本体の組立工程を工程順（ａ）（ｂ）に示す斜視図である。
【図７】箱本体の次の組立工程を工程順（ｃ）（ｄ）に示す斜視図である。
【図８】蓋体の展開図である。
【図９】底部蓋体の展開図である。
【図１０】蓋体の組立工程を工程順（ａ）（ｂ）に示す斜視図である。
【図１１】蓋体の次の組立工程を工程順（ｃ）（ｄ）に示す斜視図である。
【図１２】係止片と係合孔の部分を拡大して示す斜視図であり、（ａ）は箱本体に底部蓋体を嵌合しようとしている状態を示し、（ｂ）は嵌合した状態を示している。
【符号の説明】
【００２１】
１  箱本体
１ａ  上部開口
１ｂ  底部
２  前側板
３  後側板
４  左側板
５  右側板
６  底板
７  係止片
２０  蓋体
２１  天板
２２  前側板
２３  後側板
２４  左側板
２５  右側板
２６  係合孔
５０  底部蓋体
５１  底板
５２  前側板
５３  後側板
５４  左側板
５５  右側板
５６  係合孔
【図１】
0003105431.tif 000003
【図２】
0003105431.tif 000004
【図３】
0003105431.tif 000005
【図４】
0003105431.tif 000006
【図５】
0003105431.tif 000007
【図６】
0003105431.tif 000008
【図７】
0003105431.tif 000009
【図８】
0003105431.tif 000010
【図９】
0003105431.tif 000011
【図１０】
0003105431.tif 000012
【図１１】
0003105431.tif 000013
【図１２】
0003105431.tif 000014